(57)【要約】【課題】組み立てが容易で、高強度であり、汎用性にも優れた容器保持具を提供する。【解決手段】容器保持具１００は、容器５０の底部５１を載置可能な底面部材１と、底面部材１を挟んで対向する一対の底面部材１の辺縁部２，３からそれぞれ立設された一対の側面部材３，４と、側面部材３，４の間において底面部材１から上方に離れた位置に底面部材１を挟んで対向するように配置された一対の支持部材６，７と、を備えている。側面部材４，５において底面部材１から離れた上端部４ａ，５ａ寄りの部分にそれぞれ長円形の把持孔が開設され、一方の把持孔５ｂ内には上端部５ａ寄りのヒンジ部５ｃを中心に折り曲げ可能な係合片５ｄが形成されている。【選択図】図１０
2020175907.tif 000002
【特許請求の範囲】
【請求項１】
容器の底部を載置可能な底面部材と、前記底面部材を挟んで対向する一対の前記底面部材の辺縁部からそれぞれ立設された一対の側面部材と、前記側面部材の間において前記底面部材から離れた位置に前記底面部材を挟んで対向するように配置された一対の支持部材と、を備えた容器保持具。
【請求項２】
少なくとも前記側面部材が可撓性を有する請求項１記載の容器保持具。
【請求項３】
前記底面部材、前記側面部材及び前記支持部材が平板材料を折り曲げて形成された請求項１又は２記載の容器保持具。
【請求項４】
前記側面部材の前記底面部材から離れた上端部寄りの部分に把持孔を有する請求項１〜３の何れかの項に記載の容器保持具。
【請求項５】
一対の前記側面部材の間に前記側面部材の並行方向に沿って複数の前記底面部材を備え、隣り合う前記底面部材の間に前記支持部材を配置した請求項１〜４の何れかの項に記載の容器保持具。
【発明の詳細な説明】
【技術分野】
【０００１】
本発明は、ファストフード店やコンビニエンスストアなどで販売されているカップ入りの飲み物や食べ物などを持ち運ぶときに使用する容器保持具に関する。
【背景技術】
【０００２】
ファストフード店やコンビニエンスストアなどで購入したカップ入りの飲み物や食べ物などを持ち運ぶ器具については、従来、様々なものが提案されているが、本発明に関連するものとして、例えば、特許文献１に記載された「カップホルダー」がある。前記「カップホルダー」は、展開した状態において平板形状に形成され、組み立てられた状態でカップを収容可能となる。
【０００３】
前記「カップホルダー」は、カップが挿入される挿入孔が形成されたカップ保持部と、カップ保持部の左右方向の側縁から延出し、組み立てられた状態において端部が使用者に把持される一対のホールド部と、を備え、一対のホールド部には、それぞれ前後方向に延びる切り込みが形成され、一方のホールド部に形成された切り込みは、第２折り曲げ線上において、前方側側縁から略中央まで延び、他方のホールド部に形成された切り込みは、第１折り曲げ線上において、後方側側縁から略中央まで延び、一対のホールド部が端部から下方に曲げられ、互いの切り込みに互いに挿入されてから上方に曲げられ、互いの端部がカップ保持部の上方で合わせられている。
【先行技術文献】
【特許文献】
【０００４】
【特許文献１】登録実用新案第３２０３３５６号公報
【発明の概要】
【発明が解決しようとする課題】
【０００５】
特許文献１に記載された「カップホルダー」を組み立てる場合、同文献１の図２に示す展開した状態から、一対のホールド部２０の左右方向の端部を掴み、中心線ＣＬを頂点として下方に曲げ、図３に示す状態とした後、第１折り曲げ線３１を山折りし、一対のホールド部２０の互いの切り込み２２に互いを挿入し、図４に示す状態とする必要がある（同文献１の段落００２７）ため、組み立て作業が煩雑である。
【０００６】
また、引用文献１に記載された「カップホルダー」においては、右側のホールド部２０に形成された切り込み２２は、第２折り曲げ線３２上において、前方側側縁から略中央まで延びており、左側のホールド部２０に形成された切り込み２２は、第１折り曲げ線３１上において後方側側縁から略中央まで延びている（同文献１の段落００２５）。
【０００７】
このため、挿入孔１１に収容された飲み物入りのカップの重さなどにより、切り込み２２を拡げるような力が加わると、切り込み２２と第１折り曲げ線３１（又は第２折り曲げ線３２）との境界部分から破断が生じる可能性が高い。
【０００８】
特に、前記「カップホルダー」においては、一対のホールド部２０の端部を把持して持ち運んでいるときの飲み物入りのカップの重量により、第１折り曲げ線３１並びに第２折り曲げ線３２の部分に引張応力が集中するので、切り込み２２と第１折り曲げ線３１（又は第２折り曲げ線３２）との境界が破断開始点となる可能性が高い。
【０００９】
そこで、本発明が解決しようとする課題は、組み立てが容易で、高強度であり、汎用性にも優れた容器保持具を提供することにある。
【課題を解決するための手段】
【００１０】
本発明に係る容器保持具は、容器の底部を載置可能な底面部材と、前記底面部材を挟んで対向する一対の前記底面部材の辺縁部からそれぞれ立設された一対の側面部材と、前記側面部材の間において前記底面部材から離れた位置に前記底面部材を挟んで対向するように配置された一対の支持部材と、を備えたことを特徴とする。
【００１１】
前記容器保持具においては、少なくとも前記側面部材が可撓性を有するものであることが望ましい。
【００１２】
前記容器保持具においては、前記底面部材、前記側面部材及び前記支持部材を、平板材料を折り曲げて形成することができる。
【００１３】
前記容器保持具においては、前記側面部材の前記底面部材から離れた上端部寄りの部分に把持孔を有することが望ましい。
【００１４】
前記容器保持具においては、一対の前記側面部材の間に前記側面部材の並行方向に沿って複数の前記底面部材を備え、隣り合う前記底面部材の間に前記支持部材を配置することもできる。
【発明の効果】
【００１５】
本発明により、組み立てが容易で、高強度であり、汎用性にも優れた容器保持具を提供することができる。
【図面の簡単な説明】
【００１６】
【図１】本発明の第一実施形態である容器保持具を示す正面図である。
【図２】図１中の矢線Ａ方向から見た容器保持具の左側面図である。
【図３】図１中の矢線Ｂ方向から見た容器保持具の右側面図である。
【図４】図１中の矢線Ｃ方向から見た容器保持具の平面図である。
【図５】図１中の矢線Ｄ方向から見た容器保持具の底面図である。
【図６】図１〜図５に示す容器保持具の展開図である。
【図７】図６中の矢線Ｅ方向から見た厚紙材の折り曲げ過程を示す図である。
【図８】図１に示す容器保持具に容器を収容する過程を示す正面図である。
【図９】図８に示す容器保持具に容器を収容した状態を示す正面図である。
【図１０】図９に示す容器保持具の側面部材を閉じた状態を示す正面図である。
【図１１】本発明の第二次実施形態である容器保持具を示す平面図である。
【図１２】図１１に示す容器保持具の展開図である。
【発明を実施するための形態】
【００１７】
以下、図面に基づいて本発明の実施形態である容器保持具について説明する。初めに、図１〜図１０に基づいて第一実施形態である容器保持具１００について説明する。
【００１８】
図１〜図５に示すように、容器保持具１００は、容器５０の底部５１（図８参照）を載置可能な底面部材１と、底面部材１を挟んで対向する一対の底面部材１の辺縁部２，３からそれぞれ立設された一対の側面部材４，５と、側面部材４，５の間において底面部材１から上方に離れた位置に底面部材１を挟んで対向するように配置された一対の支持部材６，７と、を備えている。側面部材４，５において底面部材１から離れた上端部４ａ，５ａ寄りの部分にそれぞれ長円形の把持孔４ｂ，５ｂが開設され、一方の把持孔５ｂ内には上端部５ａ寄りのヒンジ部５ｃを中心に折り曲げ可能な係合片５ｄが形成されている。
【００１９】
次に、図６，図７に基づいて、容器保持具１００の組み立て方法について説明する。図１に示す容器保持具１００は、図６，図７に示すような、可撓性を有する帯板形状の１枚の厚紙材Ｐ１００を、後述する折り曲げ線１０，１１，１２，１３，１４にて折り曲げることによって形成されているが、材質やサイズなどは限定されない。
【００２０】
図６に示すように、厚紙材Ｐ１００の一方の短縁部Ｐ４寄りの部分には把持孔４ｂが開設され、他方の短縁部Ｐ５寄りの部分にはＣ字状の切込み１５を設けることにより把持孔５ｂ、ヒンジ部５ｃ及び係合片５ｄが形成されている。
【００２１】
厚紙材Ｐ１００の長さ方向Ｌの中心線Ｌｃと交差する位置には、所定長さのへ字状をした一対の切込み１６，１７が、厚紙材Ｐ１００の幅方向Ｗの中心線Ｗｃを挟んで対称をなすように形成されている。把持孔５ｂ寄りに位置する、切込み１６，１７の並行部１６ａ，１７ａは中心線Ｗｃと平行且つ互いに平行をなしており、把持孔４ｂ寄りに位置する、切り込み１６，１７の斜行部１６ｂ，１７ｂは把持孔４ｂに向かうに連れて互いに接近している。
【００２２】
切り込み１６，１７の把持孔４ｂ寄りの端部１６ｃ，１７ｃには、幅方向Ｗの中心線Ｗｃと直交する折り曲げ線１０が、斜行部１６ｂ，１７ｂの端部１６ｃ，１７ｃと接して厚紙材Ｐ１００を横断するように設けられている。
【００２３】
切り込み１６，１７において並行部１６ａ，１７ａと斜行部１６ｂ，１７ｂとの境界部１６ｄ，１７ｄからそれぞれ長縁部Ｐ６，Ｐ７に至る部分には、それぞれ折り曲げ線１０と平行な折り曲げ線１１，１２が設けられている。
【００２４】
切り込み１６，１７の並行部１６ａ，１７ａが対向している部分には、幅方向Ｗの中心線Ｗｃと直交する折り曲げ線２０が、厚紙材Ｐ１００を横断するように設けられている。また、切り込み１６，１７の把持孔５ｂ寄りの端部１６ｅ，１７ｅからそれぞれ長縁部Ｐ６，Ｐ７に至る部分には、それぞれ折り曲げ線１０，１１，１２と平行な折り曲げ線１３，１４が設けられている。
【００２５】
ここで、図７に基づいて、図６に示す厚紙材Ｐ１００から図１に示す容器保持具１００を組み立てる手順について説明する。図７は、図６中の矢線Ｅ方向から見たときの厚紙材Ｐ１００の折り曲げ過程を示している。
【００２６】
図７に示すように、厚紙材Ｐ１００の一方の短縁部Ｐ４を矢線Ｓ１方向に持ち上げることにより折り曲げ線１０を谷折りし、また、厚紙材Ｐ１００の他方の短縁部Ｐ５を矢線Ｓ２方向に持ち上げることにより、折り曲げ線２０を谷折りするとともに、折り曲げ線１１，１２を山折りし、折り曲げ線１３，１４を谷折りする。
【００２７】
次に、厚紙材Ｐ１００の一方の短縁部Ｐ４と折り曲げ線１０との間の領域と、厚紙材Ｐ１００の他方の短縁部Ｐ５と折り曲げ線２０との間の領域と、が互いに略平行になる程度まで折り曲げると、図１に示す状態となる。これにより、厚紙材Ｐ１００の一方の短縁部Ｐ４と折り曲げ線１０との間の領域が側面部材４となり、厚紙材Ｐ１００の他方の短縁部Ｐ５と折り曲げ線２０との間の領域が側面部材５となり、折り曲げ線１１，１２と折り曲げ線１３，１４との間の領域がそれぞれ支持部材６，７となり、容器保持具１００が形成される。
【００２８】
なお、図６，図７に示すように、厚紙材Ｐ１００において折り曲げ線１０と折り曲げ線１１，１２とで挟まれた領域Ｐ８，Ｐ９と、側面部材４の内側面４ｃとが重なって互いに当接する部分は両面粘着テープや接着剤などで貼り合わせることが望ましい。
【００２９】
次に、図１，図４，図８〜図１０に基づいて容器保持具１００の使い方について説明するが、使い方を限定するものではない。
【００３０】
初めに、図１に示す状態にある容器保持具１００の側面部材４，５の上端部４ａ，５ａを拡げ、図８に示すように、側面部材４，５の間に容器５０を装入し、上端部４ａ，５ａ側から底面部材１に向かって下降させ、容器５０の底部５１側の部分を支持部材６，７（図４参照）の間を通過して、底面部材１の上に載置すると、図９に示す状態となる。
【００３１】
図９に示すように、容器５０の底部５１が底面部材１上に載置されたら、側面部材５の把持孔５ｂのヒンジ部５ｃを折り曲げて把持孔５ｂから係合片５ｄを側面部材４に向かって突出させる。この後、側面部材４，５の上端部４ａ，５ａを互いに接近させ、係合片５ｄを側面部材４の把持孔４ｂに差し込み、図１０に示すように、側面部材４，５の上端部４ａ，５ａを重ね合わせ、把持孔４ｂから突出した係合片５ｄを上端部４ａに向かって折り曲げれば、容器５０が容器保持具１００内に収容される。
【００３２】
この後は、互いに連通した状態となった把持孔４ｂ，５ｂに手指を差し込んで上端部４ａ，５ａを把持すれば、容器５０が収容された容器保持具１００を手に提げて移動することができる。容器保持具１００内の容器５０は、一対の側面部材４，５及び一対の支持部材６，７によって包囲されているので、保持状態が安定している。また、容器保持具１００内の容器５０の上方部分は、対向する一対の側面部材４，５によって両側から挟み込まれているので、より安定した状態に保持することができる。
【００３３】
容器保持具１００は、図６に示す平板状の厚紙材Ｐ１００を図７に示すような手順で折り曲げ加工を施すだけで形成することができるので組み立てが容易である。また、厚紙材Ｐ１００に折り曲げ線１０〜１４，２０と同一直線をなすような切込みを設ける必要がないので、応力集中に起因する破断が発生し難く、高強度である。さらに、底面部材１の上方において、一対の側面部材４，５及び一対の支持部材６，７によって囲まれた領域に嵌入可能なサイズの容器であれば、形状を問わず収容可能であるため、汎用性にも優れている。なお、図８〜図１０に示す容器５０はカップ形状をなしているが、これに限定するものではないので、缶形状、瓶形状、コーン形状の容器であっても収容可能である。
【００３４】
次に、図１１，図１２に基づいて、本発明の第二実施形態である容器保持具２００について説明する。なお、容器保持具２００の構成部分において、前述した容器保持具１００の構成部分と共通する機能、作用を有する部分については、図１〜図１０中の符号と同符号を付して説明を省略する。
【００３５】
図１１に示すように、容器保持具２００は、容器の底部５１を載置可能な二つの底面部材１ａ，１ｂと、底面部材１ａ，１ｂを挟んで対向する一対の辺縁部２，３からそれぞれ立設された一対の側面部材４，５と、側面部材４，５の間の底面部材１ａ，１ｂから上方に離れた位置にて底面部材１ａ，１ｂとの間に配置された支持部材１８と、支持部材１８及び底面部材１ａ，１ｂを挟んで対向するように配置された支持部材６，７と、を備えている。側面部材４，５において底面部材１ａから離れた上端部４ａ，５ａ寄りの部分にそれぞれ長円形の把持孔４ｂ，５ｂ（図１２参照）が開設され、一方の把持孔５ｂ内には上端部５ａ寄りのヒンジ部５ｃを中心に折り曲げ可能な係合片５ｄが形成されている。
【００３６】
図１１に示す容器保持具２００は、図１２に示す厚紙材Ｐ２００に対して、図６に基づいて説明した折り曲げ加工を施すことにより形成することができる。なお、図１２中において、折り曲げ線１９は折り曲げ線１１，１２と同様に山折りされる部分であり、折り曲げ線２１は折り曲げ線１３，１４と同様に谷折りされる部分である。
【００３７】
図１１に示すように、容器保持具２００は、側面部材４，５の間に、容器の底部５１を載置可能な二つの底面部材１ａ，１ｂと、支持部材６，１８，７を備えているため、二つの容器を安定保持することができ、図１に示す容器保持具１００と同様の作用、効果を得ることができる。なお、底面部材並びに支持部材の数は限定しないので、底面部材並びに支持部材の数を増やすことにより三つ以上の容器を保持可能な構造とすることもできる。
【００３８】
なお、図１〜図１２に基づいて説明した容器保持具１００，２００は、本発明に係る容器保持具を例示するものであり、本発明に係る容器保持具は前述した容器保持具１００，２００に限定されない。
【産業上の利用可能性】
【００３９】
本発明に係る容器保持具は、ファストフード店やコンビニエンスストアなどで購入したカップ入りの飲み物や食べ物などを持ち運ぶ器具として広く利用することができる。
【符号の説明】
【００４０】
１，１ａ，１ｂ  底面部材
２，３  辺縁部
４，５  側面部材
４ａ，５ａ  上端部
４ｂ，５ｂ  把持孔
４ｃ  内側面
５ｃ  ヒンジ部
５ｄ  係合片
６，７，１８  支持部材
１０，１１，１２，１３，１４，１９，２０，２１  折り曲げ線
１５，１６，１７  切り込み
１６ａ，１７ａ  並行部
１６ｂ，１７ｂ  斜行部
１６ｃ，１７ｃ  端部
１６ｄ，１６ｄ  境界部
５０  容器
５１  底部
１００，２００  容器保持具
Ｐ４，Ｐ５  短縁部
Ｐ６，Ｐ７  長縁部
Ｐ８，Ｐ９  領域
Ｐ１００，Ｐ２００  厚紙材
Ｌ  長さ方向
Ｗ  幅方向
【図１】
2020175907.tif 000003
【図２】
2020175907.tif 000004
【図３】
2020175907.tif 000005
【図４】
2020175907.tif 000006
【図５】
2020175907.tif 000007
【図６】
2020175907.tif 000008
【図７】
2020175907.tif 000009
【図８】
2020175907.tif 000010
【図９】
2020175907.tif 000011
【図１０】
2020175907.tif 000012
【図１１】
2020175907.tif 000013
【図１２】
2020175907.tif 000014